(57)【特許請求の範囲】
【請求項１】
重ね合わされたシート状部材の縁部が縫い合わされることによって形成された上下の両端が開口した偏平な筒状をなす外側ポケット部と、重ね合わされたシート状部材の縁部が溶着されることによって形成された上端が開口した封筒状をなす内側ポケット部とを備え、上記内側ポケット部が、その上端を上記外側ポケット部の上端開口部より下側に位置させた状態で上記外側ポケット部内に挿入されるとともに外側ポケット部に取り付けられ、上記外側ポケット部には、上記内側ポケット部より上側の部分を下方に折り返して上端開口部の封をしたとき、当該上側の部分とこれに対向する下側の部分との間に互いに係脱可能に係合して上側の部分を折り返し状態に維持する係合部が設けられていることを特徴とする作業機械用ポケット。
【請求項２】
上記内側ポケット部が上記外側ポケット部に着脱可能に取り付けられていることを特徴とする請求項１に記載の作業機械用ポケット。
【発明の詳細な説明】
【０００１】
【発明の属する技術分野】
この発明は、建設機械、農業機械等の作業機械の運転席等に取り付けて用いられる作業機械用ポケットに関する。
【０００２】
【従来の技術】
一般に、パワーショベル等の建設機械においては、運転席の背もたれ部の背面等にポケットを取り付けておき、このポケットに建設機械の取り扱い説明書や工事の仕様書等を入れておく。そして、必要に応じてポケットから説明書等を取り出すようにしている。
【０００３】
従来、この種のポケットは、樹脂製のシートを重ね合わせて縁部を縫い合わせることにより、上端が開口した封筒状に形成されていた。
【０００４】
【発明が解決しようとする課題】
上記従来の作業機械用ポケットにおいては、雨水が縫い目や上端開口部から内部に侵入し、保管した書類が濡れてしまうという問題があった。そこで、防水性に優れたポケットの開発が要望されていた。
【０００５】
【課題を解決するための手段】
上記の問題を解決するために、請求項１に係る発明は、重ね合わされたシート状部材の縁部が縫い合わされることによって形成された上下の両端が開口した偏平な筒状をなす外側ポケット部と、重ね合わされたシート状部材の縁部が溶着されることによって形成された上端が開口した封筒状をなす内側ポケット部とを備え、上記内側ポケット部が、その上端を上記外側ポケット部の上端開口部より下側に位置させた状態で上記外側ポケット部内に挿入されるとともに外側ポケット部に取り付けられ、上記外側ポケット部には、上記内側ポケット部より上側の部分を下方に折り返して上端開口部の封をしたとき、当該上側の部分とこれに対向する下側の部分との間に互いに係脱可能に係合して上側の部分を折り返し状態に維持する係合部が設けられていることを特徴としている。
この場合、上記内側ポケット部を上記外側ポケット部に着脱可能に取り付るのが望ましい。
【０００６】
【発明の実施の形態】
以下、この発明の好適な実施の形態について図１〜図７を参照して説明する。。
図１〜図６はこの発明の一実施の形態を示すものであり、この実施の形態の作業機械用ポケットＰ1は、図１（Ａ）〜（Ｃ）および図２に示すように、外側ポケット部１と、内側ポケット部２とから構成されている。外側ポケット部１は、上下の両端部が開口した偏平な筒状に形成されている。一方、内側ポケット部２は、上端が開口し、下端が閉じた封筒状に形成されており、その内部に所望の書類を収容することができるような寸法を有している。外側および内側ポケット部１，２は、例えばＰＶＣ、レザー等の不透水性の樹脂からなるシートを用い、次のようにして製造されている。
【０００７】
外側ポケット部１は、背面側シート部（シート状部材）１１と、前面側シート部（シート状部材）１２とから構成されている。
背面側シート部１１は、図３（Ａ），（Ｂ）に示すように、上下に長いシートＳ１をその中央部で折り返して上部Ｓ１1と下部Ｓ１2とを重ね合わせた後、下縁部を縫合糸Ｔで縫い合わせるとともに、下部Ｓ１2の上両側部に形成された耳部Ｓ１3を、上部Ｓ１1を抱え込むように折り返して重ね合わせることによって形成されている。背面側シート部１１の下端部には、雌雄一対の防水性のホックのうちの雌ホック３Ａが下端縁に沿って一列状に配置固定されている。この雌ホック３Ａは、雨合羽等に用いられる公知のものと同様のものであり、シートＳ１を貫通させて加締ることにより防水状態で取り付けられている。また、背面側シート部１１の上端部には、面ファスナー（係合部）４Ａが上端縁に沿って一列状に配置固定されている。この場合、面ファスナー４Ａは、シートＳ１に縫い付けられているので、シートＳ１を重ね合わせる前に予め取り付けられている。なお、シートＳ１としてレザーのように表裏両面があるようなものを用いる場合には、重ね合わせたときに表面が外側に現れるようにすべきである。この点は、前面側シート部１２についても同様である。
【０００８】
前面側シート部１２は、図４（Ａ），（Ｂ）に示すように、略正方形状をなすシートＳ２の中央より若干下側の箇所を折り返して重ね合わせた後、下部Ｓ２2から下方に突出した上部Ｓ２1の端部を、下部Ｓ２2の下端部を抱え込むように折り返して重ね合わせ、その後上部Ｓ２1および下部Ｓ２2の上下の縁部どうしを糸Ｔで縫い合わせることによって形成されている。前面側シート部１２の下端部には、上記雌ホック３Ａと同様の雌ホック５Ａが下端縁に沿って一列状に配置固定されている。また、前面側シート部１２の上下方向の略中央部には、面ファスナー（係合部）４Ｂが左右方向へ一列状に並んで配置固定されている。面ファスナー４Ｂは、シートＳ２を折り返して重ね合わせる前に予め縫い付けられている。
【０００９】
図５に示すように、上記背面側シート部１１と前面側シート部１２とは、互いの下端縁を揃えた状態で重ね合わされる。このとき、前面側シート部１２の左右の幅が背面側シート部１１の幅より広くなっており、背面側シート部１１から左右に突出した前面側シート部１２の両側縁部が、背面側シート部１１を抱え込むように折り返して重ね合わされる。そして、重ね合わされた前面側シート部１２と背面側シート部１１との両側縁部が糸Ｔによって縫い合わされる。これにより、上下の両端部開口した偏平な筒状をなす外側ポケット部１が形成されている。なお、前面側シート部１２と背面側シート部１１との両側縁部を縫い合わせるときに、前面側シート部１２から上側に突出した背面側シート部１１の両側縁部および上端縁部が同時に縫い合わされている。
【００１０】
また、背面側シート部１１の上下の長さは前面側シート部１２より長くなっており、背面側シート部１１の上部は前面側シート部１２から上方に突出している。したがって、背面側シート部１１の上端部に取り付けられた面ファスナー４Ａは前面側に露出しており、外側ポケット部１をその上端開口部より若干下側の箇所（図５において想像線イで示す箇所）で折り返して重ね合わせると、面ファスナー４Ａが面ファスナー４Ｂと対向し、互いに係合することができるようになっている。そして、面ファスナー４Ａ，４Ｂを互いに係合させることにより、折り返し状態が維持されるとともに、外側ポケット部１の上端開口部が閉じられる。
【００１１】
一方、内側ポケット部２は、図６（Ａ）〜（Ｃ）に示すようにして形成されている。すなわち、内側ポケット部２を形成するためのシート（シート状部材）Ｓ３は縦長の長方形状をなしており、その長手方向のほぼ中央部で区分された上部Ｓ３1と下部Ｓ３2とを有している。上部Ｓ３1の上端部と下部Ｓ３2の下端部とには、それらより若干幅の狭い耳部Ｓ３3，Ｓ３4が形成されている。上側の耳部Ｓ３3は、比較的強度の高い樹脂製の補強板６を包み込むようにして上部Ｓ３1に重ね合わされ、補強板６から下方に突出する端部が上部Ｓ３1に溶着されている（溶着部を符号Ｗ1で示す。）。この場合、溶着はウエルダ加工によって行われているが、他の溶着方法を採用してもよい。この点は、他の溶着部分についても同様である。補強板６が包み込まれた部分には、それを貫通する取付孔２１が形成されている。一方、下側の耳部Ｓ３4は、下部Ｓ３2に重ね合わされ、その端部が下部Ｓ３2に溶着されている（溶着部を符号Ｗ2で示す。）。
【００１２】
また、シート３をその中央部で折り返すことによって下部Ｓ３2が上部Ｓ３1に重ね合わされ、上部Ｓ３1と下部Ｓ３2の側縁部どうしが互いに溶着されている（溶着部を符号Ｗ3，Ｗ4で示す。）。これによって、封筒状をなす内側ポケット部２が形成されている。
【００１３】
内側ポケット部２を形成するシート３の上部Ｓ３1の上下方向のほぼ中央部には、上記雌ホック３Ａと対をなす防水性の雄ホック３Ｂが左右に並んで一列状に配置固定されており、下部Ｓ３2の上下方向のほぼ中央部には、上記雌ホック５Ａと対をなす雄ホック５Ｂが左右に並んで一列状に配置固定されている。そして、図１および図２に示すように、内側ポケット部２の上部を外側ポケット部１に挿入して雄ホック３Ｂ，５Ｂを雌ホック３Ａ，５Ａにそれぞれ嵌め合わせることにより、外側ポケット部１と内側ポケット部２とが一体化され、ポケットＰ1が構成されている。このとき、内側ポケット部２の上端開口部は、外側ポケット部１の折り返し箇所イより若干下側に位置している。なお、雄ホック３Ｂ，５Ｂは、内側ポケット部２を形成してから取り付けてもよいが、取り付けの容易性を考慮するならば、図６（Ａ）に示すように、シートＳ３を折り返しる前に取り付けておくのが望ましい。
【００１４】
また、内側ポケット部２の下端部には、補強板７が挿入され、この補強板７の上側に位置する背面部と前面部とが溶着（溶着部を符号Ｗ5で示す。）されることにより、内側ポケット２の下端部に補強板７が内蔵状態で一体に設けられている。この補強板７が設けられた内側ポケット部２の下端部には、取付孔２２が形成されている。
【００１５】
上記構成のポケットＰ1は、図１（Ｂ），（Ｃ）に示すように、取付孔２１，２２に挿通されたビスＢ1，Ｂ2を所望の箇所、例えば建設機械の運転席の背もたれ部の背面等にねじ込むことによって取り付けられる。そして、取り扱い説明書等の書類を保管する場合には、図１（Ｂ）に示すように、外側ポケット部１の上端開口部を開き、内側ポケット２内に入れる。そして、図１（Ｃ）に示すように、外側ポケット部１を折り返し箇所イで下方に折り返し、面ファスナー４Ａ，４Ｂを互いに係合させる。外側ポケット部１を折り返すことによってその上端開口部が閉じられる。しかも、外側ポケット部１の折り返しによって内側ポケット部２の上端開口部も閉じられる。したがって、雨水が内側ポケット２の開口部から内部に入り込むことがなく、書類が雨水に濡れるのを防止することができる。特に、この実施の形態においては、外側ポケット部１の背面側シート部１１が外側ポケット部１の上端開口部を覆うので、雨水が外側ポケット１の上端開口部から内部に入り込むのをより一層確実に防止し、ひいては内側ポケット２の内部に雨水が入り込むのを確実に防止することができる。
【００１６】
また、書類を保管する関係上、雨水の侵入を最も防止する必要がある内側ポケット部２については、シートＳ３を縫い合わせることなく、溶着しているので、縫い目から雨水が侵入することが全くない。したがって、書類を雨水から確実に保護することができる。この場合、外側ポケット部１についても縫い合わせることなく、溶着することが考えられるが、溶着加工は縫い合わせ加工に比して加工費が高い。そこで、この発明では外側ポケット部１については縫い合わせて製造することにより、ポケットＰ1全体の加工費を低減するようにしているのである。しかも、外側ポケット部１は、書類の保管に関しては補助的なものであり、書類は内側ポケット２によって雨水に濡れるのを防止されるから、雨水が外側ポケットの内部に縫い目から侵入したとしてもほとんど問題にならない。
【００１７】
次に、この発明の他の実施の形態について説明する。図７に示すポケットＰ2は、外側ポケット部１だけが建設機械に固定され、内側ポケット部２が外側ポケット部１に対して着脱自在に取り付けられている。すなわち、外側ポケット部１の背面側シート部１１の中間部には補強板８が配置されており、この補強板８は、背面側シート部１１を構成するシートＳ１の上部Ｓ１1および下部Ｓ１2の補強板８に上下に隣接する部分どうしを溶着することによって背面側シート部１１に固定して設けられている。そして、この補強板８が設けられた箇所を貫通するビスＢ1を建設機械等の所望の箇所にねじ込むことによってポケットＰ2が取り付けられている。また、このポケットＰにおいては、ビスＢ2が用いられていない。このように、外側ポケット部１だけが建設機械等に固定されており、内側ポケット部２は固定されていない。したがって、内側ポケット部２は、雌雄のホック３Ａ，３Ｂ；５Ａ，５Ｂの嵌め合いを外すことによって外側ポケット１から取り外すことができ、書類をいれたままで内側ポケット２を持ち運びすることができる。勿論、取り外した内側ポケット２については、外側ポケット１に挿入した後、雄ホック３Ｂ，５Ｂを雌ホック３Ａ，５Ａに嵌め込むことによって外側ポケット部１に取り付けることができる。
【００１８】
なお、この発明は上記の実施の形態に限定されるものでなく、適宜設計変更可能である。
例えば、上記の実施例においては、外側ポケット部１の背面側シート部１１および前面側シート部１２を、シートＳ１，Ｓ２を折り返すことによって２層構造にしているが単層構造にしてもよい。逆に、内側ポケット２を２層構造にしてもよい。また、１枚のシートを折り返して重ね合わせることなく、２枚のシートを重ね合わせるようにしてもよい。
また、上記の実施の形態においては、外側ポケット部１の背面側シート部１１の上下方向の長さを前面側シート部１２より長くしているが、両者を同一長さにしてもよい。そのようにする場合には、上記の実施の形態において背面側シート部１１に取り付けられていた面ファスナー４Ａを前面側シート部１２の上端部に取り付けるようにする。ただし、上記の実施の形態のようにすると、外側ポケット部１を折り返した状態においては、その上端開口部を背面側シート部１１によって覆うことができるので、雨水が背面側シート部１１の上端開口部から内部に入り込むのをより確実に防止し、ひいては内側ポケット部２内に入り込むのをより一層確実に防止することができるので、雨水の侵入防止の観点からは上記の実施の形態のようにするのが望ましい。
さらに、面ファスナー４Ａ，４Ｂに代えてホック３Ａ，３Ｂまたは５Ａ，５Ｂと同様なホックを用いてもよい。
【００１９】
【発明の効果】
以上説明したように、請求項１に係る発明によれば、ポケットの内部に保管された書類が雨水に濡れるのを確実に防止することができ、しかも製造費を安価に抑えることができるという効果が得られる。
また、請求項２に係る発明によれば、書類を保管した内側ポケット部を取り外して持ち運びすることができるという効果が得られる。
【図面の簡単な説明】
【図１】この発明の一実施の形態を示す図であって、図１（Ａ）はその正面図、図１（Ｂ）はポケットを開いた状態で示す図１（Ａ）のＸ−Ｘ線に沿う断面図、図１（Ｃ）はポケットを閉じた状態で示す図１（Ｂ）と同様の断面図である。
【図２】図１に示すポケットの分解斜視図である。
【図３】外側ポケットの背面側シート部を製造する方法を説明するための図であって、図３（Ａ）はその材料たるシートを示す平面図、図３（Ｂ）は製造された背面側シート部を示す正面図である。
【図４】外側ポケット部の前面側シート部を製造する方法を説明する図であって、図４（Ａ）はその材料たるシートを示す平面図、図４（Ｂ）は製造された前面側シート部を示す正面図である。
【図５】背面側シート部と前面側シートとによって外側ポケットを製造する方法を説明するための正面図である。
【図６】内側ポケット部を製造する方法を説明するための図であって、図６（Ａ）はその材料たるシートの平面図、図６（Ｂ）は製造された内側ポケット部の正面図、図６（Ｃ）は図６（Ｂ）のＹ−Ｙ線に沿う一部省略拡大断面図である。
【図７】この発明の他の実施の形態を示す図１（Ｂ）と同様の断面図である。
【符号の説明】
Ｐ1  作業機械用ポケット
Ｐ2  作業機械用ポケット
Ｓ１  シート
Ｓ２  シート
Ｓ３  シート（シート状部材）
Ｔ  糸
Ｗ3  溶着部
Ｗ4  溶着部
１  外側ポケット
２  内側ポケット
３Ａ  雌ホック
３Ｂ  雄ホック
４Ａ  面ファスナー（係合部）
４Ｂ  面ファスナー（係合部）
５Ａ  雌ホック
５Ｂ  雄ホック
１１  背面側シート部（シート状部材）
１２  前面側シート部（シート状部材）
【図１】
0003688394.tif 000002
【図２】
0003688394.tif 000003
【図３】
0003688394.tif 000004
【図４】
0003688394.tif 000005
【図５】
0003688394.tif 000006
【図６】
0003688394.tif 000007
【図７】
0003688394.tif 000008